(57)【要約】【課題】ヒータ付高周波加熱装置で、部品点数が少なく簡単な構造で照明装置を取付け、オーブンランプ温度上昇の低減を実現する。【解決手段】被加熱物２２を収納する加熱室２０と、前記加熱室２０に収納された被加熱物２２を加熱する高周波加熱手段１８と、前記高周波発生手段１８を冷却する送風機１７と、前記送風機１７からの風を加熱室内に導くエアーガイド１０と、前記加熱室２０を加熱するためのヒータ２７と、前記加熱室内の被加熱物２２を照らす照明装置１１とを備え、前記照明装置１１をエアーガイド下面１４に配置する構成とすることにより、オーブン加熱時に加熱室２０からの熱気がエアーガイド１０内に逆流しても、熱気は上に向かう習性があるためエアーガイド１０の下面は比較的温度が低くなり、照明装置１１の温度上昇を抑えることができる。【選択図】図１
2010071503.tif 000002
【特許請求の範囲】
【請求項１】
被加熱物を収納する加熱室と、前記加熱室に収納された被加熱物を加熱する高周波加熱手段と、前記高周波発生手段を冷却する送風機と、前記送風機からの風を加熱室内に導くエアーガイドと、前記加熱室を加熱するためのヒータと、前記加熱室内の被加熱物を照らす照明装置とを備え、前記照明装置をエアーガイド下面に配置する高周波加熱装置。
【請求項２】
加熱室内の被加熱物を照らす照明装置が、光を発生させるランプ部と前記ランプ部を保持するソケット部からなり、前記ソケット部は前記エアーガイドの下面外側に配置し、ランプ部のみがエアーガイド内に保持される請求項１に記載の高周波加熱装置。
【請求項３】
前記エアーガイドが略Ｕ字形状に形成され、一方端は複数の穴を有する加熱室側壁と接し、前記エアーガイドの下面が前記加熱室側壁に設けられた穴の下端と一致する請求項１または２に記載の高周波加熱装置。
【請求項４】
前記エアーガイドの下面が、前記照明装置を配置する面から下方向に傾斜した傾斜面を備え、前記傾斜面に複数の穴を設ける請求項１〜３のいずれか１項に記載の高周波加熱装置。
【請求項５】
前記照明装置が、エアーガイドの下面に略Ｕ字形状の取付け板により固定され、前記取付け板の側面は少なくとも２面が開放された請求項１〜４のいずれか１項に記載の高周波加熱装置。
【発明の詳細な説明】
【技術分野】
【０００１】
本発明は、ヒータ付き高周波加熱装置の照明装置の取付け構造に関するものである。
【背景技術】
【０００２】
従来、この種の高周波加熱装置としては、加熱室内での結露や扉内面のくもりを防ぐ目的で、金属の板状材料や樹脂材料を略Ｕ字形状に形成し、加熱室内に風を導くとともに内側に照明装置を固定するエアーガイドを備えているようなものがあった。図３、４は、従来の高周波加熱装置の構成を示すものである（例えば、特許文献１参照）。
【０００３】
図３は従来の高周波加熱装置の構成、図４は従来のエアーガイドへの照明装置を取付ける構成をそれぞれ示すものである。
【０００４】
図３、４において、扉２が設けられた加熱室１には被加熱物が収納される。マグネトロン３は加熱室に高周波を供給する。高圧トランス４はマグネトロン３に電源電圧を供給する。冷却ファン５はマグネトロン３などの電気部品に、エアーガイド６を介して冷却風を供給する。導波管７はマグネトロン３が発生した高周波を加熱室１に導く。照明装置８は加熱室１内の被加熱物を照らす。
【特許文献１】特開２００３−１５１７５６号公報
【発明の開示】
【発明が解決しようとする課題】
【０００５】
従来の構成では、高周波加熱動作時はマグネトロン３に冷却風を送り、エアーガイド６内に設けられた照明装置８に冷却風が当たり温度の上昇を抑えるものである。
【０００６】
しかしながら、オーブン調理時にはマグネトロン３が動作しないため冷却の必要がなく、逆に冷却風を加熱室１内に送風すると加熱室１内の温度の上昇を妨げるため、冷却ファン５を停止させ加熱室１内に冷却風が入らないようにしていた。ただ、それでは加熱室１からの熱気がエアーガイド６に逆流し、照明装置８の温度上昇を招くという問題もあった。
【０００７】
また、上記理由からヒータ付き高周波加熱装置では、エアーガイド６内に照明装置８を設置せず、別の場所にガラスなどで熱気を遮断して照明装置８が取付けられており、部品数が増加し、構造的にも複雑になるという課題もあった。
【０００８】
本発明は、上記従来の課題を解決するもので、部品点数が少なく簡単な構造で照明装置を取付けることが可能な高周波加熱装置を提供することを目的とする。
【課題を解決するための手段】
【０００９】
上記従来の課題を解決するために、本発明の高周波加熱装置は、被加熱物を収納する加熱室と、前記加熱室に収納された被加熱物を加熱する高周波加熱手段と、前記高周波発生手段を冷却する送風機と、前記送風機からの風を加熱室内に導くエアーガイドと、前記加熱室を加熱するためのヒータと、前記加熱室内の被加熱物を照らす照明装置とを備え、前記照明装置のソケット部は前記エアーガイドの下面外側に配置し、ランプ部のみがエアーガイド内に保持されるものである。
【発明の効果】
【００１０】
本発明によれば、ヒータ付き高周波加熱装置において部品点数が少ない簡単な構造でエ
アーガイドに照明装置を取付けることができる。
【発明を実施するための最良の形態】
【００１１】
第１の発明は、被加熱物を収納する加熱室と、前記加熱室に収納された被加熱物を加熱する高周波加熱手段と、前記高周波発生手段を冷却する送風機と、前記送風機からの風を加熱室内に導くエアーガイドと、前記加熱室を加熱するためのヒータと、前記加熱室内の被加熱物を照らす照明装置とを備え、前記照明装置をエアーガイド下面に配置するものである。
【００１２】
これにより、オーブン加熱時に加熱室からの熱気がエアーガイド内に逆流しても、熱気は上に向かう習性があるためエアーガイドの下面は比較的温度が低くなり、照明装置の温度上昇を抑えることができる。
【００１３】
また、エアーガイド内に照明装置を固定することで、ガラスなどで熱気を遮断して照明装置を別に配置する必要がなくなるので、部品点数が削減できコストの削減にも寄与することになる。
【００１４】
第２の発明は、特に、第１の発明において、加熱室内の被加熱物を照らす照明装置が、光を発生させるランプ部と前記ランプ部を保持するソケット部からなり、前記ソケット部は前記エアーガイドの下面外側に配置し、ランプ部のみがエアーガイド内に保持されるものである。
【００１５】
これにより、樹脂で成型させる場合が多い照明装置のソケット部をエアーガイドの下面外側に配置することで、加熱室からの熱気の影響を抑え、温度の上昇を低くすることができる。
【００１６】
第３の発明は、特に、第１または第２の発明において、エアーガイドが略Ｕ字形状に形成され、一方端は複数の穴を有する加熱室側壁と接し、前記エアーガイドの下面が前記加熱室側壁に設けられた穴の下端と一致するものである。
【００１７】
これにより、光を発生するランプ部が加熱室側壁と同じ高さで配置され、加熱室内の被加熱物を有効に照射することができる。
【００１８】
第４の発明は、特に、第１〜３のいずれか１つの発明において、エアーガイドの下面が、前記照明装置を配置する面から下方向に傾斜した傾斜面を備え、前記傾斜面に複数の穴が設けられるものである。
【００１９】
これにより、マグネトロンの冷却風の一部を傾斜部に設けた穴からエアーガイドの外側に露出したソケット部に送風し、ソケット部の温度上昇を防ぐことができる。
【００２０】
第５の発明は、特に、第１〜４のいずれか１つの発明において、照明装置が、エアーガイドの下面に略Ｕ字形状の取付け板により固定され、前記取付け板の側面は少なくとも２面が開放されたものである。
【００２１】
これにより、オーブン加熱時に加熱室からの熱気がエアーガイド内に逆流し、ランプ部周囲からソケット部に熱気が漏れ出しても、取付け板の側面が開放しているためソケット部に熱気が滞留することがなくなり、ソケット部の温度上昇を防止することができる。
【００２２】
以下、本発明の実施の形態について、図面を参照しながら説明する。なお、この実施の形態によって本発明が限定されるものではない。
【００２３】
（実施の形態）
図１は、本発明の実施の形態における高周波加熱装置のエアーガイド近傍の側面図、図２は高周波加熱装置の正面からの断面図を示すものである。
【００２４】
図１おいて、照明装置１１は、光を照射するランプ部１１ａと、ランプ部１１ａを保持するソケット部１１ｂとから構成されている。エアーガイド１０の下面１４には下方外側に取付け板１３が固定され、取付け板１３にソケット部１１ｂがビスなどで固定されている。
【００２５】
取付け板１３の側面は開放されており、高さはソケット部１１ｂとほぼ同じ高さになっているので、ソケット部１１ｂはエアーガイド１０の外側に露出した状態で固定される。
【００２６】
エアーガイド１０の下面１４には、マグネトロン１８側の下方向に傾斜した傾斜面１５があり、複数の穴１６が設けられ冷却ファン１７からの冷却風１９のうち、ソケット部１１ｂを冷却する風１９ａが通り抜ける。
【００２７】
加熱室側壁に設けられた穴１２から加熱室２０内に風を導き、加熱室２０内での結露や扉内面のくもりを防ぐとともに、照明装置１１からの光を加熱室２０内に照射している。
【００２８】
図２おいて、加熱室２０の底面には被加熱物２２を載せる回転載置台２５が設けられ、モータ２６により回転駆動されることで、被加熱物を回転移動させることで加熱の集中を防いでいる。
【００２９】
加熱室２０の上面にはコンベクションヒータ２７が循環ファンケース２１の中に固定され、循環ファンモータ２９により循環ファン２８が回転駆動され加熱室２０の上面に設けられた吸気孔２３から加熱室２０内の空気を吸い込み、コンベクションヒータ２７で加熱したあと排気孔２４から加熱室２０内へ供給する。
【００３０】
吸気孔２３は加熱室２０の右側に配置され、排気孔２４は左側に配置されているため、排気孔２４から噴出された熱風３０は被加熱物２２の上下を通り吸気孔２３に吸い込まれるという、整然とした循環経路が構成される。
【００３１】
加熱室２０の側壁に設けられた穴１２は、エアーガイド１０の下面とほぼ一致した高さに設けられているため、照明装置１１がエアーガイド下面１４に固定されていても、ランプ部１１ａから照射される光３１は下方向にも進むため、被加熱物２２を全体的に照らし出すことが可能になり、調理中の被加熱物２２の視認が容易になる。
【００３２】
以上のように、本実施の形態によれば、ヒータ付き高周波加熱装置において部品点数が少なく簡単構造でエアーガイドに照明装置を取付けることができる。
【００３３】
また、ランプ部のみがエアーガイド内に保持される構成になるので、樹脂で成型させる場合が多い照明装置のソケット部をエアーガイドの下面外側に配置され、加熱室からの熱気の影響を抑え、温度の上昇を低くすることができるので、コストの削減だけでなく部品の信頼性向上にも寄与することになる。
【産業上の利用可能性】
【００３４】
本発明は、電子レンジ等の高周波加熱装置に適用できる。
【図面の簡単な説明】
【００３５】
【図１】本発明の実施の形態における高周波加熱装置のエアーガイド近傍の側面図
【図２】本発明の実施の形態における高周波加熱装置の正面からの断面図
【図３】従来の高周波加熱装置の外観斜視図
【図４】従来の高周波加熱装置のエアーガイドの外観斜視図
【符号の説明】
【００３６】
１０  エアーガイド
１１  照明装置
１１ａ  ランプ部
１１ｂ  ソケット部
１３  取付け板  
１４  エアーガイド下面
【図１】
2010071503.tif 000003
【図２】
2010071503.tif 000004
【図３】
2010071503.tif 000005
【図４】
2010071503.tif 000006